(57)【要約】【課題】現場での作業を少なくし、安定性、迅速性、及び経済性に優れた蛇籠製造用構造体、蛇籠の製造方法、及び蛇籠の敷設方法を提供する。【解決手段】円筒状の金網本体３を横向きにし、その下半分を保持する下部支持体１と、この下部支持体１の上部にあって、且つ開閉可能に軸支され、金網本体３の上半分を保持する上部蓋体２とからなり、この上部蓋体２には、石材投入部２１が開口して設けられており、下部支持体１内の金網本体３には、上部蓋体２を閉じた際に、石材投入部２１に対応する開口部３０が設けられ、石材投入部２１に石材を投入することにより、開口部３０を通じ、金網本体３内に石材が充填される。【選択図】図３
2004244984.tif 000002
【特許請求の範囲】
【請求項１】
円筒状の金網本体を横向きにし、その下半分を保持する下部支持体と、この下部支持体の上部にあって、且つ開閉可能に軸支され、前記金網本体の上半分を保持する上部蓋体とからなり、この上部蓋体には、石材投入部が開口して設けられており、前記下部支持体内の金網本体には、前記上部蓋体を閉じた際に、前記石材投入部に対応する開口部が設けられ、前記石材投入部に石材を投入することにより、前記開口部を通じ、前記金網本体内に石材が充填されることを特徴とする蛇籠製造用構造体。
【請求項２】
前記上部蓋体が金網固定機構を備えており、この金網固定機構は、前記上部蓋体の延長方向の少なくとも一方側に設けたシャフトを備え、このシャフトに複数のフックを有しており、前記シャフトを回転することにより、前記各フックが回転して金網本体を掛止し、前記金網本体の位置を固定することを特徴とする請求項１に記載の蛇籠製造用構造体。
【請求項３】
請求項１に記載の蛇籠製造用構造体を準備し、前記下部支持体内に円筒状の金網本体を横向きに保持し、前記上部蓋体を閉じ、前記石材投入部に石材を投入することにより、前記金網本体内に石材を充填し、その後、前記金網本体の開口部を金網蓋体で閉塞して、蛇籠を製造することを特徴とする蛇籠の製造方法。
【請求項４】
請求項２に記載の蛇籠製造用構造体を準備し、前記下部支持体内に円筒状の金網本体を横向きに保持し、前記上部蓋体を閉じ、前記金網固定機構のシャフトを回転して、フックを金網本体に掛止し、金網本体の位置を固定した後、前記石材投入部に石材を投入することにより、前記金網本体内に石材を充填し、その後、前記金網本体の開口部を金網蓋体で閉塞して、蛇籠を製造することを特徴とする蛇籠の製造方法。
【請求項５】
請求項３又は４に記載の蛇籠の製造方法によって、蛇籠を製造した後、蛇籠リフタを蛇籠に取り付け、蛇籠リフタを持ち上げることによって、前記下部支持体内から蛇籠を取り出し、この蛇籠を運搬車両に載せ、この運搬車両で蛇籠を施工箇所に運び、敷設することを特徴とする蛇籠の敷設方法。
【請求項６】
前記蛇籠リフタが、蛇籠の長さとほぼ同一の支持管体を備え、この支持管体に複数の掛止手段を有しており、支持管体を蛇籠上方に平行に位置させ、前記掛止手段を蛇籠に掛止して、前記蛇籠リフタを蛇籠に取り付けることを特徴とする請求項５に記載の蛇籠の敷設方法。
【発明の詳細な説明】
【０００１】
【産業上の利用分野】
この発明は、蛇籠製造用構造体、蛇籠の製造方法、及び蛇籠の敷設方法に関する。
【０００２】
【従来の技術】
円筒状の金網に石材を詰めた蛇籠は、河川の法面や河床などに敷設し、護岸として法面を保護するものである。この蛇籠の護岸は、コンクリート製のブロック護岸に比べ、洗掘による地盤の変形に追従し、また、水の透過性に優れているため、植生の機能を有するなど多くの利点がある。しかし、従来の方法による蛇籠の設置は、法面に金網籠を設置し、この金網籠の網目を通して石材の中詰め作業を行うため、現場での作業に多くの人手を必要とする。また、現場付近に適当な採石場がない場合、石材の調達などに費用を要する問題もある。
【０００３】
上記の問題を解決すべく、種々の発明がなされている。例えば、中空の管状体に金網を巻き付けて、この筒状体上にホッパーを設置し、ホッパーから石材を筒状体内に充填して、筒状体を引き抜くことにより、金網の開口部を閉塞して蛇籠を製造する発明がある（特許文献１及び２参照）。この発明によれば、現場での作業を少なくし、石材の調達のための費用が少なくて済む。しかし、この発明では、中空の筒状体を縦置きするため、安定性に欠け、また、筒状体を引き抜く作業に手間を要する問題点があるため、積極的に実用化されていない。
【０００４】
【特許文献１】
特開平６−２８７９２２号公報
【特許文献２】
特開平１１−５０４２７号公報
【０００５】
【発明が解決しようとする課題】
本発明は、上記した問題点に鑑み、現場での作業を少なくし、安定性、迅速性、及び経済性に優れた蛇籠製造用構造体、蛇籠の製造方法、及び蛇籠の敷設方法を提供する。
【０００６】
【課題を解決するための手段】
本発明に係る蛇籠製造用構造体は、円筒状の金網本体を横向きにし、その下半分を保持する下部支持体と、この下部支持体の上部にあって、且つ開閉可能に軸支され、前記金網本体の上半分を保持する上部蓋体とからなり、この上部蓋体には、石材投入部が開口して設けられており、前記下部支持体内の金網本体には、前記上部蓋体を閉じた際に、前記石材投入部に対応する開口部が設けられ、前記石材投入部に石材を投入することにより、前記開口部を通じ、前記金網本体内に石材が充填されることを特徴とする。
【０００７】
前記上部蓋体が金網固定機構を備えており、この金網固定機構は、上部蓋体の延長方向の少なくとも一方側に設けたシャフトを備え、このシャフトに複数のフックを有しており、シャフトを回転することにより、各フックが回転して金網本体を掛止し、金網本体の位置を固定しても良い。
【０００８】
本発明に係る蛇籠の製造方法は、前記蛇籠製造用構造体を準備し、下部支持体内に円筒状の金網本体を横向きに保持し、上部蓋体を閉じ、石材投入部に石材を投入することにより、金網本体内に石材を充填し、その後、金網本体の開口部を金網蓋体で閉塞して、蛇籠を製造することを特徴とする。また、蛇籠製造用構造体を準備し、下部支持体内に円筒状の金網本体を横向きに保持し、上部蓋体を閉じ、金網固定機構のシャフトを回転して、フックを金網本体に掛止し、金網本体の位置を固定した後、石材投入部に石材を投入することにより、金網本体内に石材を充填し、その後、金網本体の開口部を金網蓋体で閉塞して、蛇籠を製造しても良い。
【０００９】
前記した蛇籠の製造方法によって、蛇籠を製造した後、蛇籠リフタを蛇籠に取り付け、蛇籠リフタを持ち上げることによって、前記下部支持体内から蛇籠を取り出し、この蛇籠を運搬車両に載せ、この運搬車両で蛇籠を施工箇所に運び、敷設しても良い。
【００１０】
前記蛇籠リフタが、蛇籠の長さとほぼ同一の支持管体を備え、この支持管体に複数の掛止手段を有しており、支持管体を蛇籠上方に平行に位置させ、前記掛止手段を蛇籠に掛止して、前記蛇籠リフタを蛇籠に取り付けることを特徴としても良い。
【００１１】
【発明の実施の形態】
以下、添付図面に従って、本発明の一実施例について詳細に説明する。
【００１２】
図１は、蛇籠製造用構造体を示す説明図であって、Ａは斜視図、Ｂは断面図である。蛇籠製造用構造体は、下部支持体１と、上部蓋体２とからなる。下部支持体１は、周囲に枠体部１０を有しており、さらに、この１０内には、半円筒状の下円保持部１１を有する。この下円保持部１１は、後述する円筒状の金網本体３の下半分を保持する。そして、上部蓋体２は、下部支持体１の上部に開閉可能に軸支されており、半円筒状の上円保持部２０を有しており、これ２０は、金網本体３の上半分を保持する。さらに、この上円保持部２０には、石材投入用に開口した石材投入部２１を３箇所有する。そして、図１の通り、先ず、上部蓋体２を開いた状態で、この蛇籠製造用構造体を準備する。
【００１３】
図２は、蛇籠に用いる金網を示す説明図である。この金網本体３は、上部が長尺方向に開口する開口部３０を有しており、これ３０は、石材を金網本体３内に投入するために設けられ、上部蓋体２の石材投入部２１と略同一幅からなる。そして、この開口部３０は、両側に補助鉄筋３１を、幅方向には２本のリング部材３２，３２’を有しており、これら３１，３２，３２’は、開口部３０の形状を保持するために設けられる。
【００１４】
図３は、金網を蛇籠製造用構造体にセットした状態を示す斜視図であり、Ａは上部蓋体を開いた状態を、Ｂは閉じた状態を示す。先ず、図３Ａの通り、下部支持体１内に、金網本体３をセットする。この際、金網本体３の開口部３０を上に向け、金網本体３の下半分を下部支持体１の下円保持部１１に載置する。その後、図３Ｂの通り、上部蓋体２を閉じ、レバー２２ａ，２２ａ’を上方に回転することにより、金網固定機構２２が、金網本体３の位置ずれを防止する。この金網固定機構２２の構造について、以下詳細に説明する。
【００１５】
図４は、金網固定機構を示す説明図である。図４Ａは、金網本体３が、上円及び下円保持部１１，２０に密接固着した状態の断面図である。図４Ｂ及びＤは、金網固定機構２２のみを抽出した斜視図であり、図４Ｃ及びＥは、フック２２ｃの拡大図である。そして、図４Ｂ及びＣは、フック２２ｃが解除された状態であって、図４Ｄ及びＥは、フック２２ｃがロックされた状態である。
【００１６】
この金網固定機構２２は、金網本体３の開口部３０両側を、上部蓋体２の石材投入部２１両側に固定して、金網本体３の位置ずれを防止するものであり、上部蓋体２に２つ設ける。この金網固定機構２２は、レバー２２ａと、これ２２ａの一端に軸支され、石材投入部２１の両側に設けたシャフト２２ｂとを有しており、これ２２ｂには、複数のフック２２ｃが取り付いている。
【００１７】
さらに、この金網固定機構２２は、レバー固定手段２２ｄを備えており、これ２２ｄには、解除溝２２ｅとロック溝２２ｆとが設けられている。このレバー固定手段２２ｄは、フック２２ｃを位置決めするものであって、各溝２２ｅ，２２ｆに、レバー２２ａを嵌合して位置決めする。下部支持体１に金網本体３をセットし、上部蓋体２を閉じた際には、図４Ｂ及びＣの通り、レバー２２ａは、レバー固定手段２２ｄの解除溝２２ｅに嵌合しているので、フック２２ｃが金網本体３から解除され、金網本体３は上部蓋体２に対してフリーな状態である。そして、レバー２２ａを回転して、ロック溝２２ｆに嵌合することにより、図４Ｄ及びＥの通り、シャフト２２ｂが回転すると共に、フック２２ｃも回転し、このフック２２ｃが、金網本体３の補助鉄筋３１を掛止する。それによって、金網本体３の開口部３０両側が、上部蓋体２の石材投入部２１両側にロックされる。
【００１８】
図５は、石材を金網内に投入する状態を示す説明図であり、Ａは斜視図、Ｂは断面図である。図４の状態で、油圧ショベル１００などを用いて栗石などの石材４を、上部蓋体２の石材投入部２１に投げ込むことにより、金網本体３内に石材４を充填する。その際、石材投入部２１の一方側に立設する石材ストッパ２３が、石材４のこぼれ落ちを防止し、石材４を石材投入部２１に導く。そして、図５Ｂの通り、下部支持体１の上円保持部２０の下方には、石材落下部１２を設けており、これ１２は、金網本体３の網目よりも大きな開口であって、網目を通過する細かな石材４０が、この石材落下部１２を通じて落下する。
【００１９】
図６は、金網内に充填した石材を均す状態を示す斜視図であり、図５の状態に続き、油圧ショベル１００を用いて石材４を均し、各石材４間の余計な空隙を除去する。
【００２０】
図７は、金網の開口部を閉じる状態を示す斜視図である。図６の状態に続き、金網固定機構２２のフック２２ｃを解除した後、上部蓋体２を開き、金網本体３の開口部３０を閉塞するに適した金網蓋体３５を準備し、これ３５を開口部３０に適合し、コイルなどの接合部材で連結することにより、蛇籠が完成する。
【００２１】
図８は、蛇籠リフタをセットした状態を示す説明図であり、Ａは斜視図、Ｂは掛止手段の拡大図である。図８Ａの通り、この蛇籠リフタ５は、蛇籠の長さと略同一の支持管体５０を有しており、この５０下部には、２本の脚部５１，５１’を、軸方向には、複数の掛止手段５２を備えている。そして、図８Ｂの通り、この掛止手段５２は、金網本体３を引っ掛けるための吊上げフック５２ａを有し、これ５２ａは、チェーンなどの連結体５２ｂとゴムチューブなどの弾性体５２ｃで吊り保持されている。この弾性体５２ｃは、連結体５２ｂを弛ませて、吊上げフック５２ａを吊り保持しているので、連結体５２ｂの長さの範囲内で、吊上げフック５２ａを移動できるため、吊上げフック５２ａを容易に金網本体３に引っ掛けることができる。先ず、脚部５１，５１’を蛇籠６上に載置して、支持管体５０を蛇籠６の上方に位置し、全ての吊上げフック５２ａを金網本体３に掛止することによって、蛇籠リフタ５を蛇籠６に取り付ける。その際、補助鉄筋３１を取外す。
【００２２】
図９は、蛇籠を持ち上げた状態を示す斜視図である。図８の状態に続き、蛇籠リフタ５を、油圧ショベル１００で吊り上げることにより、蛇籠６を持ち上げる。そして、図１０の通り、トラックなどの運搬車両１０１に蛇籠６を載せ、河川などの施工現場に運搬し、油圧ショベル１００及び蛇籠リフタ５を用いて、蛇籠６を敷設する。
【００２３】
【発明の効果】
本発明によれば、蛇籠製造用構造体を用いるので、工場などの施工現場から離れた場所でも、蛇籠を製造することができるため、施工現場での作業を少なくし、石材の調達のための費用を少なくて済む利点がある。また、この蛇籠製造用構造体では、金網を横置きにするため、安定した状態で、蛇籠を製造することができる。さらに、金網の形状を保持した状態で、金網内の石材を均すことができるので、石材を密に充填でき、強度の高い蛇籠を製造することが可能である。
【図面の簡単な説明】
【図１】蛇籠製造用構造体を示す説明図である。
【図２】蛇籠に用いる金網を示す説明図である。
【図３】金網を蛇籠製造用構造体にセットした状態を示す斜視図である。
【図４】金網固定機構を示す説明図である。
【図５】石材を金網内に投入する状態を示す説明図である。
【図６】金網内に充填した石材を均す状態を示す斜視図である。
【図７】金網の開口部を閉じる状態を示す斜視図である。
【図８】蛇籠リフタをセットした状態を示す説明図である。
【図９】蛇籠を持ち上げた状態を示す斜視図である。
【図１０】蛇籠を敷設する状態を示す説明図である。
【符号の説明】
１  下部支持体
１０  枠体部
１１  下円保持部
１２  石材落下部
２  上部蓋体
２０  上円保持部
２１  石材投入部
２２  金網固定機構
２２ａ  レバー
２２ｂ  シャフト
２２ｃ  フック
２２ｄ  レバー固定手段
２２ｅ  解除溝
２２ｆ  ロック溝
２３  石材ストッパ
３  金網本体
３０  開口部
３１  補助鉄筋
３５  金網蓋体
５  蛇籠リフタ
５０  支持管体
５１  脚部
５２  掛止手段
５２ａ  吊上げフック
５２ｂ  連結体
５２ｃ  弾性体
６  蛇籠
１００  油圧ショベル
１０１  運搬車両
【図１】
2004244984.tif 000003
【図２】
2004244984.tif 000004
【図３】
2004244984.tif 000005
【図４】
2004244984.tif 000006
【図５】
2004244984.tif 000007
【図６】
2004244984.tif 000008
【図７】
2004244984.tif 000009
【図８】
2004244984.tif 000010
【図９】
2004244984.tif 000011
【図１０】
2004244984.tif 000012